(57)【要約】      （修正有）【課題】複数の電子レシートに含まれる同じ販売対象について同一の販売対象情報で管理することが可能な情報処理装置及びプログラムを提供する。【解決手段】電子レシート管理システムにおいて、電子レシートセンターの電子レシート管理サーバは、個別に構築された販売対象マスタに記憶された、販売対象を特定する販売対象特定情報に対応付けられた個別の販売対象情報に基づいて、店舗のＰＯＳ端末で生成された電子レシート情報を受信する受信手段４１１、受信した電子レシート情報に、共通の販売対象マスタに記憶された、販売対象特定情報に対応付けられた共通の販売対象情報を付加して電子レシートを生成する電子レシート生成手段４１２及び生成した電子レシートを受け取る受取先に対して出力する出力手段４１３を有する制御部を備える。【選択図】図１３
2020184382.tif 000002
【特許請求の範囲】
【請求項１】
情報処理装置および携帯端末を備えた電子レシートシステムであって、
前記情報処理装置は、
個別に構築された販売対象マスタに記憶された、販売対象を特定する販売対象特定情報に対応付けられた個別の販売対象情報に基づいて生成された電子レシート情報を受信する受信手段と、
前記受信手段が受信した前記個別の販売対象情報にソースマーキングを示す販売対象情報が含まれている場合には、前記受信した電子レシート情報に、共通の販売対象マスタに記憶された、前記販売対象特定情報と同一の販売対象特定情報に対応付けられた共通の販売対象情報を付加して電子レシートを生成する電子レシート生成手段と、
前記生成した電子レシートを、前記生成した電子レシートを受け取る受取先に対して出力する出力手段と、
を備え、
前記携帯端末は、
前記受取先に出力した前記電子レシートを受信する受信手段と、
受信した前記電子レシートを表示する表示手段と、
を備えた電子レシートシステム。
【請求項２】
前記出力手段は、前記受信手段が受信した前記個別の販売対象情報にソースマーキングを示す販売対象情報が含まれていない場合には、前記受信手段が受信した前記電子レシート情報に基づいて生成された電子レシートを前記受取先に出力する、
請求項１に記載の電子レシートシステム。
【請求項３】
前記情報処理装置は、外部から入力した前記共通の販売対象情報に基づいて、前記共通の販売対象マスタに記憶された前記共通の販売対象情報を更新する更新手段、をさらに備えた、
請求項１または２に記載の電子レシートシステム。
【請求項４】
個別に構築された販売対象マスタに記憶された、販売対象を特定する販売対象特定情報に対応付けられた個別の販売対象情報に基づいて生成された電子レシート情報を受信する受信手段と、
前記受信手段が受信した前記個別の販売対象情報にソースマーキングを示す販売対象情報が含まれている場合には、前記受信した電子レシート情報に、共通の販売対象マスタに記憶された、前記販売対象特定情報と同一の販売対象特定情報に対応付けられた共通の販売対象情報を付加して電子レシートを生成する電子レシート生成手段と、
前記生成した電子レシートを、前記生成した電子レシートを受け取る受取先に対して出力する出力手段と、
前記受取先に出力した前記電子レシートを受信する受信手段と、
受信した前記電子レシートを表示する表示手段と、
を備えた電子レシートシステム。
【請求項５】
情報処理装置および携帯端末を備えた電子レシートシステムにおける電子レシート表示方法であって、
前記情報処理装置は、
個別に構築された販売対象マスタに記憶された、販売対象を特定する販売対象特定情報に対応付けられた個別の販売対象情報に基づいて生成された電子レシート情報を受信する第１工程と、
前記第１工程が受信した前記個別の販売対象情報にソースマーキングを示す販売対象情報が含まれている場合には、前記受信した電子レシート情報に、共通の販売対象マスタに記憶された、前記販売対象特定情報と同一の販売対象特定情報に対応付けられた共通の販売対象情報を付加して電子レシートを生成する第２工程と、
前記第２工程が生成した電子レシートを、前記生成した電子レシートを受け取る受取先に対して出力する第３工程と、
を含み、
前記携帯端末は、
前記受取先に出力した前記電子レシートを受信する第４工程と、
前記第４工程が受信した前記電子レシートを表示する第５工程と、
を含む電子レシートシステムにおける電子レシート表示方法。
【請求項６】
個別に構築された販売対象マスタに記憶された、販売対象を特定する販売対象特定情報に対応付けられた個別の販売対象情報に基づいて生成された電子レシート情報を受信する第１工程と、
前記第１工程が受信した前記個別の販売対象情報にソースマーキングを示す販売対象情報が含まれている場合には、前記受信した電子レシート情報に、共通の販売対象マスタに記憶された、前記販売対象特定情報と同一の販売対象特定情報に対応付けられた共通の販売対象情報を付加して電子レシートを生成する第２工程と、
前記第２工程が生成した電子レシートを、前記生成した電子レシートを受け取る受取先に対して出力する第３工程と、
前記受取先に出力した前記電子レシートを受信する第４工程と、
前記第４工程が受信した前記電子レシートを表示する第５工程と、
を含む電子レシートシステムにおける電子レシート表示方法。
【発明の詳細な説明】
【技術分野】
【０００１】
本発明の実施形態は、電子レシートシステムおよび電子レシートシステムにおける電子レシート表示方法に関する。
【背景技術】
【０００２】
従来、商品やサービス等の販売対象を購入した場合、販売対象情報および決済処理した決済情報を、電子的に消費者の携帯端末等に受け渡す電子レシートという仕組みが知られている。この仕組みにおいて、企業外に設けられた電子レシート管理サーバは、各企業が運営する複数の店舗に設置されたＰＯＳ端末で生成された電子レシート情報を収集して管理する。また、電子レシート管理サーバは、収集した電子レシート情報に基づく電子レシートを、消費者が携帯する携帯端末等の受取先に出力する。
【０００３】
このようにすることによって、例えば、消費者は携帯端末で電子レシートを閲覧することができる。また、消費者は、電子レシートを活用して、家計簿を電子的に簿記することができる。
【０００４】
ところで、例えば、販売対象の販売対象名は、店舗または企業にて個別に構築された販売対象マスタに従うため統一されていない。そのため、複数の店舗や企業においてＰＯＳ端末で電子レシート情報を生成した場合、同一の販売対象でありながら店舗や企業によって異なる販売対象名の電子レシート情報となることがある。消費者が、これら複数の電子レシートを活用して家計簿を簿記する場合、同一販売対象でありながら異なる販売対象名で簿記することがある。
【０００５】
また、例えば、販売対象が属する分類を示すカテゴリーも、店舗または企業にて個別に構築された販売対象マスタに従うため統一されていない。そのため、複数の店舗や企業において電子レシートを生成した場合、店舗や企業によって、同じ販売対象でありながら異なるカテゴリーの電子レシート情報となることがある。消費者が、これら複数の電子レシートを活用して家計簿を簿記する場合、同一販売対象でありながら異なるカテゴリーに簿記することになる。
【発明の概要】
【発明が解決しようとする課題】
【０００６】
本発明が解決しようとする課題は、複数の電子レシートに含まれる同じ販売対象について同一の販売対象情報で管理することが可能な電子レシートシステムおよび電子レシートシステムにおける電子レシート表示方法を提供することである。
【課題を解決するための手段】
【０００７】
実施形態の電子レシートシステムは、情報処理装置および携帯端末を備えた電子レシートシステムであって、前記情報処理装置は、個別に構築された販売対象マスタに記憶された、販売対象を特定する販売対象特定情報に対応付けられた個別の販売対象情報に基づいて生成された電子レシート情報を受信する受信手段と、前記受信手段が受信した前記個別の販売対象情報にソースマーキングを示す販売対象情報が含まれている場合には、前記受信した電子レシート情報に、共通の販売対象マスタに記憶された、前記販売対象特定情報と同一の販売対象特定情報に対応付けられた共通の販売対象情報を付加して電子レシートを生成する電子レシート生成手段と、前記生成した電子レシートを、前記生成した電子レシートを受け取る受取先に対して出力する出力手段と、を備え、前記携帯端末は、前記受取先に出力した前記電子レシートを受信する受信手段と、受信した前記電子レシートを表示する表示手段と、を備える。
【０００８】
実施形態の電子レシートシステムにおける電子レシート表示方法は、情報処理装置および携帯端末を備えた電子レシートシステムにおける電子レシート表示方法であって、前記情報処理装置は、個別に構築された販売対象マスタに記憶された、販売対象を特定する販売対象特定情報に対応付けられた個別の販売対象情報に基づいて生成された電子レシート情報を受信する第１工程と、前記第１工程が受信した前記個別の販売対象情報にソースマーキングを示す販売対象情報が含まれている場合には、前記受信した電子レシート情報に、共通の販売対象マスタに記憶された、前記販売対象特定情報と同一の販売対象特定情報に対応付けられた共通の販売対象情報を付加して電子レシートを生成する第２工程と、前記第２工程が生成した電子レシートを、前記生成した電子レシートを受け取る受取先に対して出力する第３工程と、を含み、前記携帯端末は、前記受取先に出力した前記電子レシートを受信する第４工程と、前記第４工程が受信した前記電子レシートを表示する第５工程と、を含む。
【図面の簡単な説明】
【０００９】
【図１】図１は、実施形態に係る電子レシート管理システムの構成全体を示す構成図である。
【図２】図２は、ＰＯＳ端末のハードウェア構成を示すブロック図である。
【図３】図３は、ＰＯＳ端末の商品マスタを示すメモリマップである。
【図４】図４は、ＰＯＳ端末が生成した電子レシート情報を示す図である。
【図５】図５は、電子レシートサーバのハードウェア構成を示すブロック図である。
【図６】図６は、電子レシート管理サーバのハードウェア構成を示すブロック図である。
【図７】図７は、電子レシート管理サーバの商品マスタＤＢを示すメモリマップである。
【図８】図８は、電子レシート管理サーバが記憶する電子レシート情報を示す図である。
【図９】図９は、電子レシート管理サーバが生成した電子レシートを示す図である。
【図１０】図１０は、携帯端末のハードウェア構成を示すブロック図である。
【図１１】図１１は、ＰＯＳ端末の制御処理の流れを示すフローチャートである。
【図１２】図１２は、電子レシートサーバの制御処理の流れを示すフローチャートである。
【図１３】図１３は、電子レシート管理サーバの機能構成を示す機能ブロック図である。
【図１４】図１４は、電子レシート管理サーバの制御処理の流れを示すフローチャートである。
【図１５】図１５は、携帯端末の制御処理の流れを示すフローチャートである。
【図１６】図１６は、携帯端末の表示部に表示された電子レシートの例を示す図である。
【図１７】図１７は、携帯端末の表示部に表示された家計簿の例を示す図である。
【発明を実施するための形態】
【００１０】
以下、図１〜図１７を参照して、情報処理装置およびプログラムの実施形態について説明する。実施形態では、電子レシート管理サーバを情報処理装置の一例として説明する。また、実施形態では、商品を販売対象の一例として説明する。以下に説明する実施形態によりこの発明が限定されるものではない。
【００１１】
図１は、実施形態にかかる電子レシート管理システムの構成全体を示す構成図である。電子レシートシステムは、ショッピングセンター、スーパーマーケット、百貨店、コンビニエンスストア等の小売業を営む複数の企業Ｃの販売システムＰ２と、電子レシートを管理する電子レシート管理サーバ４とを有する。さらに電子レシート管理システムは、携帯端末７とメーカーＭに設置されたメーカーサーバ８を有する。なお、メーカーＭは複数存在してもよい。
【００１２】
企業Ｃは、複数の店舗Ｐ１を有している。各店舗Ｐ１は、１台または複数台のＰＯＳ（Point  of  Sales）端末１とストアサーバ２を備えている。また、企業Ｃは本部Ｐ３に、電子レシートサーバ３等を備えている。電子レシート管理サーバ４は、電子レシートセンターＰ４に設置されている。携帯端末７は、消費者としての会員または操作者が携帯する。メーカーサーバ８は、店舗Ｐ１で販売される商品を製造するメーカーＭに設置されている。
【００１３】
ＰＯＳ端末１は、ＬＡＮ（Local  Area  Network）等の通信回線Ｎ１でストアサーバ２と接続されている。ＰＯＳ端末１およびストアサーバ２は、各店舗Ｐ１と本部Ｐ３とを繋ぐネットワークＮ２を介して電子レシートサーバ３に接続されている。ここで、ネットワークＮ２は、例えば、インターネットやＶＰＮ（Virtual  Private  Network）等の専用線である。
【００１４】
ＰＯＳ端末１は、店舗Ｐ１で販売される商品の商品販売処理および決済処理を実行する商品販売データ処理装置である。ＰＯＳ端末１は、店舗Ｐ１内で販売されている商品について、取引を実行する。取引とは、一人の消費者に対して商品販売処理を開始してから決済処理を終了するまでをいう。
【００１５】
ＰＯＳ端末１は、個別に構築された販売対象マスタである商品マスタ１７３（図２を参照）を備えている。商品マスタ１７３は、販売対象特定情報である商品コードに対応して商品情報を記憶している。商品マスタ１７３が記憶する商品情報は、商品コード、商品名、商品の価格、当該商品が属するカテゴリー、後述する、当該商品がソースマーキング商品であるかインストアマーキング商品であるかを示す識別フラグ情報、属性情報（商品のアレルギー、カロリー）等である。商品マスタ１７３は、それぞれの店舗Ｐ１または企業Ｃに個別に構築される。商品マスタ１７３は、店舗Ｐ１または企業Ｃで個別に入力された商品の商品情報を記憶する。そのため、同じ商品であっても、店舗Ｐ１毎あるいは企業Ｃ毎に入力する商品情報が異なると、それぞれの商品マスタ１７３に記憶された商品情報が異なることになる。
【００１６】
ＰＯＳ端末１は、商品に付されたバーコード等のシンボルを読み取る。次にＰＯＳ端末１は、読み取ったシンボルに含まれる商品と特定する商品コードに基づいて、商品マスタ１７３から対応する当該商品の商品情報を読み出す。そしてＰＯＳ端末１は、読み出した商品情報に基づいて、販売する商品の商品販売処理を実行する。
【００１７】
なお、実施形態では、ＰＯＳ端末１が商品マスタ１７３を有しているが、ストアサーバ２または電子レシートサーバ３が商品マスタ１７３を有していてもよい。この場合、ＰＯＳ端末１は、シンボルから読み取った商品コードに基づいてストアサーバ２または電子レシートサーバ３に問合せを行う。そしてＰＯＳ端末１は、ストアサーバ２または電子レシートサーバ３から商品情報を受信する。
【００１８】
販売するすべての商品について商品販売処理を実行した後、ＰＯＳ端末１は、決済処理を実行する。決済処理とは、商品販売処理した商品の合計金額に基づいて、入力された受取金額から釣銭を算出する処理、また後述するレシート情報を生成して紙のレシートを発行する処理をいう。
【００１９】
ＰＯＳ端末１は、商品販売処理した商品販売情報や決済処理した決済情報を含む取引内容に基づいて、レシート情報を生成する。ＰＯＳ端末１は、生成したレシート情報に基づいて、当該レシート情報を印字部１３（図２を参照）で印字した紙レシートを発行する。また、ＰＯＳ端末１は、紙レシートに代えて、非構造化形式のレシート情報のデータ形式を、非構造化形式とは異なる構造化形式に変換して電子化した電子レシート情報を生成する。電子レシート情報の生成も決済処理の一環である。
【００２０】
電子レシート情報とは、本来レシート用紙に印字するレシート情報を、例えばＣＳＶ（Comma-Separated  Values）形式やＪ−ｓｏｎ方式等の構造化形式に変換した情報である。電子レシート情報は、ＰＯＳ端末１で生成される。生成された電子レシート情報は、電子レシートサーバ３を経由して電子レシート管理サーバ４に送信され、記憶される。
【００２１】
ＰＯＳ端末１は、生成した電子レシート情報を、ネットワークＮ２を介して電子レシートサーバ３に出力（送信）する。電子レシート情報の送信方法は特に問わず、ＨＴＴＰやＨＴＴＰＳ等の汎用プロトコルを用いてもよい。
【００２２】
ストアサーバ２は、店舗Ｐ１の売上げを管理する。ストアサーバ２は、店舗Ｐ１内に設けられた通信回線Ｎ１でＰＯＳ端末１と接続されている。ストアサーバ２は、ＰＯＳ端末１での販売情報に基づいて、店舗Ｐ１で商品販売処理された商品の商品情報や決済処理された決済情報を管理する。
【００２３】
電子レシートサーバ３は、複数の店舗Ｐ１を運営する企業Ｃの本部Ｐ３に設けられている。電子レシートサーバ３は、店舗Ｐ１のＰＯＳ端末１で生成された電子レシート情報を、企業Ｃの単位で管理する企業用のレシート管理サーバとして機能する。電子レシートサーバ３は、ネットワークＮ２を介して店舗Ｐ１に設置されたＰＯＳ端末１やストアサーバ２と接続している。
【００２４】
また、電子レシートサーバ３は、ネットワークＮ２を介して他の店舗Ｐ１のＰＯＳ端末１やストアサーバにも接続している。そのため、電子レシートサーバ３は、企業Ｃが運営する店舗Ｐ１のＰＯＳ端末１から、それぞれ電子レシート情報を受信する。
【００２５】
また、電子レシートサーバ３は、受信した電子レシート情報を、本部Ｐ３と電子レシートセンターＰ４とを繋ぐネットワークＮ３を介して、電子レシート管理サーバ４に送信する。
【００２６】
ここで、ネットワークＮ３は、例えば、インターネットやＶＰＮ等の専用線である。また、電子レシート情報の送信方法は特に問わず、ＨＴＴＰやＨＴＴＰＳ等の汎用プロトコルを用いてもよい。
【００２７】
電子レシート管理サーバ４は、電子レシートセンターＰ４に設けられる。電子レシートセンターＰ４は、例えば、企業Ｃが管理する電子レシート情報を各企業Ｃの電子レシートサーバ３からそれぞれ収集して統一的に管理を行う。電子レシートセンターＰ４は、電子レシートサーバ３を運営する本部Ｐ３以外の第三者機関である。なお、電子レシートサーバ３についても第三者機関等が管理してもよい。
【００２８】
電子レシート管理サーバ４は、店舗Ｐ１を運営する各種企業Ｃの電子レシート情報を一括に管理する会員用レシート管理サーバとして機能する。電子レシート管理サーバ４は、会員登録を行った会員の氏名や会員ＩＤ等の会員データを管理する。会員ＩＤは、電子レシート情報を出力する受取先を特定する受取先特定情報である。電子レシート管理サーバ４は、会員データを、会員情報部に記憶・管理する。なお、電子レシート管理サーバ４とは別に、会員データの記憶・管理を行う会員管理サーバ等を設ける構成としてもよい。
【００２９】
また、電子レシート管理サーバ４は、電子レシートサーバ３から送信された電子レシート情報を、ネットワークＮ３を介して受信し、この電子レシート情報をデータベースＤＢに保持された後述する電子レシート情報部４３４に記憶する（図６を参照）。電子レシート情報は、商品販売処理された商品の商品情報や決済処理された決済情報の他、電子レシート情報を送信する店舗を特定する店舗ＩＤや会員を特定する会員ＩＤ等の要素を含む。電子レシート管理サーバ４は、これらの要素を含む電子レシート情報を、電子レシート情報部４３４において会員毎に管理する。
【００３０】
また、電子レシート管理サーバ４は、電子レシート情報部４３４に電子レシート情報を記憶すると、会員情報部４３３（図６を参照）を検索し、この電子レシート情報の会員ＩＤに基づいて電子レシートを受け取る受取先を特定する。そして、電子レシート管理サーバ４は、後述するネットワークＮ４を介して、電子レシートを出力するための電子レシート情報を受信していることを受取先の携帯端末７に通知する。
【００３１】
なお、受取先は、必ずしも携帯端末７を意味するものではない。また、受取先は、特定の携帯端末７であってもよいが、特定の携帯端末７でなくてもよい。また受取先は、携帯端末７でなくてもよく、例えば、パーソナルコンピュータ等であってもよい。また、受取先が特定されたことが、必ずしも携帯端末７等が特定されたこととはならない。また、受取先は、電子レシートを出力するメールのアドレスが指し示す先であってもよい。
【００３２】
また、電子レシート管理サーバ４は、後述するネットワークＮ４を介して接続される携帯端末７から、会員ＩＤを指定した電子レシートの閲覧照会情報を受信すると、当該会員ＩＤに対応する電子レシート情報に基づいて電子レシートを生成し、携帯端末７に対して出力する。すると、携帯端末７は、当該電子レシートを表示する。携帯端末７の操作者は、携帯端末７に表示された電子レシートを閲覧することができる。
【００３３】
電子レシート管理サーバ４は、共通の販売対象マスタである商品マスタＤＢ（Database）４３２（図６を参照）を備えている。商品マスタＤＢ４３２は、電子レシート管理サーバ４に１台備えられており、他には備えられていない。商品マスタＤＢ４３２は、販売対象特定情報である商品コードに対応して、メーカーサーバ８から送信された商品情報を記憶している。商品マスタＤＢ４３２が記憶する商品情報は、商品コード、商品名、当該商品が属するカテゴリー、商品のアレルギー、カロリー、当該商品の画像等である。
【００３４】
携帯端末７は、消費者である会員または本システムの操作者が携帯して使用する、例えばスマートフォン、携帯電話機、ＰＤＡ（Personal  Digital  Assistant）、タブレット型コンピュータ等の携帯端末装置である。携帯端末７は、ネットワークＮ４上で提供される各種情報を閲覧するためのＷｅｂブラウザ等のアプリケーションを実装する。なお、操作者は、会員であってもよいが、会員でなくてもよい。
【００３５】
携帯端末７は、ネットワークＮ４を介して電子レシート管理サーバ４に接続されている。ここで、ネットワークＮ４は、インターネットや、各種公衆網である。
【００３６】
携帯端末７は、電子レシートを閲覧可能であることを示す通知を、電子レシート管理サーバ４からネットワークＮ４を介して受信する。操作者が、携帯端末７を操作して、電子レシートの閲覧照会情報を、ネットワークＮ４を介して電子レシート管理サーバ４に送信する。すると、携帯端末７は、電子レシート管理サーバ４から出力された会員の電子レシートを表示する。操作者は携帯端末７に表示された電子レシートを閲覧できる。
【００３７】
メーカーサーバ８は、メーカーＭに設置されている。メーカーサーバ８は、ネットワークＮ３を介して電子レシートサーバ３および電子レシート管理サーバ４と接続されている。
【００３８】
メーカーサーバ８は、当該メーカーで製造された商品の商品情報を記憶する。メーカーサーバ８が記憶する商品情報は、メーカーが決定して決められた情報である。例えば、メーカーが決定した商品名は、当該商品の正式名称である。また、メーカーが決定したカテゴリーは、当該商品が属する正式なカテゴリーである。商品マスタＤＢ４３２は、メーカーが決定した唯一でかつ共通の商品情報を記憶する。
【００３９】
ところで、このような電子レシートシステムにおいて、消費者が携帯端末７で電子レシートを閲覧するためには、消費者は会員登録を行う。会員登録を行った消費者を会員という。電子レシート管理サーバ４は、会員登録を行った会員の携帯端末７に対して会員ＩＤ及びパスワードを含む会員登録完了メールを配信する。これにより、会員登録が終了する。会員登録された後、ログインして認証された携帯端末７の表示部には、会員ＩＤをコードシンボル化したバーコードが表示される。電子レシート管理サーバ４は、会員登録された会員の会員ＩＤを含む会員情報を会員情報部４３３（図６を参照）に登録する。
【００４０】
かかる構成の電子レシート管理システムにおいては、ＰＯＳ端末１で取引された商品の内容を示す電子レシート情報が、電子レシート管理サーバ４に送信され、Ｗｅｂ上に電子レシートとして公開される。したがって、Ｗｅｂブラウザを実装してなる携帯端末７は、ＵＲＬ（Uniform  Resource  Locator）を指定することにより、操作者は、Ｗｅｂ上に公開された電子レシートを携帯端末７で閲覧することができる。
【００４１】
次に、図２〜図１０を用いて、実施形態の電子レシートシステムを構築する主要な装置のハードウェア構成について説明する。
【００４２】
まず、ＰＯＳ端末１について説明する。図２は、ＰＯＳ端末１のハードウェア構成を示すブロック図である。図２に示すように、ＰＯＳ端末１は、各種演算やＰＯＳ端末１の各部を統括的に制御する制御部１１を備えている。制御部１１は、ＣＰＵ（Central  Processing  Unit）、ＲＯＭ（Read  Only  Memory）、ＲＡＭ（Random  Access  Memory）１１ａ、ＲＴＣ（Real  Time  Clock）部等によって構成されるコンピュータである。ＲＯＭは、各種プログラムやデータを記憶する。ＲＡＭ１１ａは、各種プログラムを一時的に記憶し、また各種データを書き換え自在に記憶する。ＲＴＣ部は、現在の日時を計時する。
【００４３】
制御部１１は、バス１８を介して操作部１２、印字部１３、表示部１４、コード読取部１５、通信Ｉ／Ｆ１６および記憶部１７に接続されている。
【００４４】
操作部１２は、オペレータが操作入力を行うための各種の操作キーを有している。操作キーとしては、例えば、数値を入力するための置数キー、所定の項目を選択するためのカーソルキーや選択決定キーの他、一取引の決済処理を実行させ、当該取引を終了させる締めキー１２１等が設けられている。
【００４５】
印字部１３は、レシート、ジャーナル、精算レシート、点検レシート等の印字を行うプリンタ装置で構成される。印字部１３は、例えば発熱媒体を有するサーマルヘッドを用いて、搬送される長尺状のロール用紙にレシート情報を印字する。印字するレシート情報は、取引において、購入した商品の商品情報（商品名や商品価格等）や、決済処理に伴う決済情報等である。その後用紙をカットしてレシート、ジャーナル等を発行する。
【００４６】
表示部１４は、例えば液晶ディスプレイ等であり、販売登録された商品の品名、価格、決済が宣言された一取引の合計金額、釣銭額等の各種情報を表示する。なお、表示部１４をタッチパネル構成としてもよく、この場合、タッチパネルは操作部１２として機能する。
【００４７】
コード読取部１５は、例えばバーコードや二次元コード等のコードシンボルを光学的に読み取るスキャナ装置である。コード読取部１５は、例えば、商品に付されたバーコード等のコードシンボルや、携帯端末７の表示部に表示されたコードシンボル等を読み取る。制御部１１は、読み取った当該コードシンボルに保持された情報を入力する。なお、商品に付されたコードシンボルには、その商品を特定するための商品コード等が保持されているとする。また、携帯端末７に表示されるコードシンボルには、その携帯端末７が受け取る電子レシートの受取先を特定するための会員ＩＤ等が保持されている。なお、会員ＩＤは、携帯端末７に磁気的あるいは電気的に記憶されていてもよい。この場合、記憶されている会員ＩＤを、専用の読取装置で読み取る。制御部１１は、読み取った会員ＩＤを入力する。
【００４８】
また、制御部１１は、バス１８を介して通信Ｉ／Ｆ（インターフェース）１６に接続されており、この通信Ｉ／Ｆ１６を介してネットワークＮ２に接続することが可能となっている。
【００４９】
また、制御部１１は、バス１８を介して、記憶部１７に接続されている。記憶部１７は、例えばＨＤＤ（Hard  Disk  Drive）やＳＳＤ（Solid  State  Drive）等の補助記憶装置である。記憶部１７は、ＰＯＳ端末１における各種業務を実行するための制御プログラムを記憶した制御プログラム部１７１を備える。この制御プログラムに基づいて、制御部１１は、商品販売、レシート情報生成、レシート印字に係る処理を実行する。
【００５０】
また、記憶部１７は、レシート情報から電子レシート情報を生成するための電子レシート生成プログラムを記憶した電子レシート生成プログラム部１７２を備える。制御部１１は、電子レシート生成プログラムを駆動させて、レシート情報スキーマ（図示せず）に記述された変換規則に基づいて、非構造化形式のレシート情報を構造化形式の電子レシート情報に変換する。このようにして、制御部１１は、レシート情報から電子レシート情報を生成する。
【００５１】
電子レシート情報は、会員ＩＤ、店舗を運営する企業を特定する企業コード、店舗Ｐ１を特定する店舗ＩＤ、ＰＯＳＮｏ、レシートＮｏ、商品情報、決済情報等を含んでいる。
【００５２】
なお、このような業種・業態は、ユーザの好みによって任意に変更可能である。また、企業コード（店舗を運営する企業の識別コード）、業種・業態コードについては、電子レシートサーバ３に登録されていてもよい。また、同一企業が経営する各店舗において、それぞれの店舗を特定することを可能とするために、店舗毎に異なる店舗コードが付されている。
【００５３】
また、記憶部１７は、商品マスタ１７３を備えている。商品マスタ１７３は、店舗Ｐ１で販売される商品の商品情報を、商品コードに対応して記憶する。商品マスタ１７３が記憶する商品情報は、店舗または企業が個別に構築したものである。商品マスタ１７３が記憶する商品情報は、商品コード、商品名、商品の価格、当該商品が属するカテゴリー、当該商品がソースマーキング商品であるかインストアマーキング商品であるかを示す識別フラグ、商品の属性情報（アレルギー、カロリー等）等である。商品マスタ１７３は、各店舗Ｐ１のストアサーバ２から、あるいは各本部Ｐ３の電子レシートサーバ３から入力された商品の商品情報を記憶する。
【００５４】
次に、図３を用いて、商品マスタ１７３を詳細に説明する。商品マスタ１７３は、商品コード部１７３１、商品名部１７３２、価格部１７３３、カテゴリー部１７３４、識別フラグ部１７３５、属性情報部１７３６を備えている。商品コード部１７３１は、商品を特定する商品コードを記憶している。商品名部１７３２は、記憶された商品コードで特定される商品の商品名を、当該商品コードに対応して記憶している。価格部１７３３は、記憶された商品コードで特定される商品の価格を、当該商品コードに対応して記憶している。カテゴリー部１７３４は、記憶された商品コードで特定される商品が属する上位概念のカテゴリーを、当該商品コードに対応して記憶している。上位概念のカテゴリーは単数階層であっても複数階層であってもよい。例えば、商品コードが「ＪＡＮコード」である場合、すぐ上位の概念として「クラス」、さらに上位の概念の「部門」といった複数階層の上位概念がある。実施形態の上位概念は、そのいずれか一つでもあってもよいし、いずれをも上位概念としてもよい。
【００５５】
識別フラグ部１７３５は、記憶された商品コードで特定される商品に付されたシンボルが、ソースマーキングであるかインストアマーキングであるかを区別する識別フラグを記憶する。ソースマーキングは、当該商品に付されたシンボルが、メーカーによって付されたものであることを示す。すなわち、ソースマーキングのシンボルが付された商品は、すべてメーカーが製造した商品であって、すべての企業Ｃやすべての店舗Ｐ１において、同じ商品として販売される。これらの同じ商品には、同一の商品コードが付されている。
【００５６】
一方、インストアマーキングは、当該商品に付されたシンボルは、店舗Ｐ１または企業Ｃによって付されたものであることを示す。すなわち、インストアマーキングのシンボルが付された商品は、当該店舗Ｐ１内または企業Ｃ内において製造された商品（例えばパックされた惣菜等）であり、他の店舗Ｐ１や企業Ｃでは販売されていない可能性がある商品である。他の店舗Ｐ１や他企業Ｃにおいて、同様の商品が販売されていたとしても、それぞれ異なる商品コードが付されており、相互に異なる商品である。実施形態では、ソースマーキングのシンボルが付された商品は、識別フラグ部１７３５に識別フラグ「１」を記憶している。また、インストアマーキングのシンボルが付された商品は、識別フラグ部１７３５に識別フラグ「２」を記憶している。
【００５７】
属性情報部１７３６は、記憶された商品コードで特定される商品の属性情報を、当該商品コードに対応して記憶している。属性情報とは、当該商品のアレルギー情報やカロリー情報等である。なお、商品マスタ１７３は、属性情報部１７３６を備えていない場合もある。
【００５８】
ところで、店舗Ｐ１あるいは企業Ｃは、商品に独自の商品名（例えば簡略化された商品名）を付すことがある。そのため、同じ商品であっても、店舗Ｐ１毎あるいは企業Ｃ毎に、商品マスタ１７３に記憶された商品名が異なることがある。商品を上位概念で分類するカテゴリーについても同様に、同じ商品であっても、それぞれの商品マスタ１７３に記憶されたカテゴリーが異なることがある。
【００５９】
次に、図４を用いて、ＰＯＳ端末１が生成した電子レシート情報１９の一例について説明する。この電子レシート情報１９はＣＳＶ形式であり、電子レシートサーバ３を介して電子レシート管理サーバ４に送信される。
【００６０】
電子レシート情報１９は、会員ＩＤ（Identity）１９１、店舗ＩＤ１９２、レシートＮｏ１９３、日付１９４、決済情報１９５、商品情報１９６を有する。会員ＩＤ１９１は、会員となった消費者を特定する情報である。また会員ＩＤ１９１は、電子レシートの受取先を特定する受取先特定情報である。すなわち、会員ＩＤ１９１が特定されれば、電子レシートの受取先が特定される。
【００６１】
店舗ＩＤ１９２は、電子レシート情報を生成した店舗を特定する店舗ＩＤである。レシートＮｏ１９３は、電子化されたレシート情報を特定するレシートＮｏである。日付１９４は、電子レシート情報が生成された日時である。決済情報１９５は、取引において決済処理された決済情報である。決済情報は、例えば、合計金額、受取金額、釣銭額、ポイント数等である。
【００６２】
商品情報１９６は、ＰＯＳ端末１において商品販売処理された商品の商品情報である。商品情報は、商品マスタ１７３から読み出した情報である。商品情報１９６は、商品コード１９６１、商品名１９６２、価格１９６３、カテゴリー１９６４、識別フラグ１９６５、属性情報１９６６を有する。
【００６３】
商品コード１９６１は、商品を特定する商品コードである。商品名１９６２は、商品コードで特定される商品の商品名である。価格１９６３は、商品コードで特定される商品の価格である。カテゴリー１９６４は、商品コードで特定される商品が属するカテゴリーである。識別フラグ１９６５は、商品コードで特定される商品に付されたシンボルが、ソースマーキングであるかインストアマーキングであるかを区別するフラグである。属性情報１９６６は、商品コードで特定される商品の属性情報である。属性情報とは、当該商品のアレルギー情報やカロリー情報等である。なお、商品マスタ１７３が属性情報部１７３６に属性情報を記憶していない場合もある。
【００６４】
図４の例では、電子レシート情報として、３個の商品の商品情報が電子化されている。商品コード１９６１は、商品コード「００１」、商品コード「００２」、商品コード「００３」である。商品名１９６２には、商品コード「００１」に対応した商品名「商品Ａ」、商品コード「００２」に対応した商品名「商品Ｂ」、商品コード「００３」に対応した商品名「商品Ｃ」である。価格１９６３には、商品コード「００１」に対応した商品Ａの価格１００円、商品コード「００２」に対応した商品Ｂの価格１００円、商品コード「００３」に対応した商品Ｃの価格２００円である。カテゴリー１９６４には、商品Ａが属する分類を示す「カテゴリーＡ」、商品Ｂが属する分類を示す「カテゴリーＢ」、商品Ｃが属する分類を示す「カテゴリーＣ」である。
【００６５】
識別フラグ１９６５は、ＰＯＳ端末１が電子レシート情報を生成する際に識別フラグ部１７３５から読み出されて付加される情報である。識別フラグ１９６５は、ソースマーキングの商品であることを示す識別フラグ「１」とインストアマーキングの商品であることを示す識別フラグ「２」の２種類ある。商品Ａと商品Ｂには識別フラグ「１」が付されている。商品Ｃは識別フラグ「２」が付されている。属性情報１９６６は、商品Ａの属性情報「Ａ」、商品Ｂの属性「Ｂ」、商品Ｃの属性情報「Ｃ」である。
【００６６】
次に、企業用のレシート管理サーバとして機能する電子レシートサーバ３のハードウェア構成を、図５のブロック図を用いて説明する。図５において、電子レシートサーバ３は、各種演算や電子レシートサーバ３の各部を統括的に制御する制御部３１を備えている。制御部３１は、ＣＰＵ、ＲＯＭ、ＲＡＭ、ＲＴＣ部等によって構成されるコンピュータである。ＲＯＭは、各種プログラムやデータを記憶する。ＲＡＭは、各種プログラムを一時的に記憶し、また各種データを書き換え自在に記憶する。ＲＴＣ部は、現在の日時を計時する。
【００６７】
制御部３１は、バス３４に接続された通信Ｉ／Ｆ３２を介して、ネットワークＮ２やネットワークＮ３に接続することが可能となっている。また、制御部３１は、バス３４を介して記憶部３３に接続されている。
【００６８】
記憶部３３は、店舗Ｐ１を運営する企業Ｃ単位の電子レシート情報を電子レシート管理部３３１に記憶する。また、記憶部３３は、電子レシート管理部３３１に記憶された電子レシート情報を管理するための制御プログラムを記憶する制御プログラム部３３２を備える。
【００６９】
次に、電子レシート管理サーバ４のハードウェア構成を、図６のブロック図を用いて説明する。図６において、電子レシート管理サーバ４は、各種演算や電子レシート管理サーバ４の各部を統括的に制御する制御部４１を備えている。制御部４１は、ＣＰＵ、ＲＯＭ、ＲＡＭ、ＲＴＣ部等によって構成されるコンピュータである。ＲＯＭは、各種プログラムやデータを記憶する。ＲＡＭは、各種プログラムを一時的に記憶し、また各種データを書き換え自在に記憶する。ＲＴＣ部は、現在の日時を計時する。
【００７０】
制御部４１は、バス４６に接続された通信Ｉ／Ｆ４２を介して、ネットワークＮ３、およびネットワークＮ４に接続することが可能となっている。また、制御部４１は、バス４６を介して、記憶部４３に接続されている。
【００７１】
記憶部４３には、制御プログラム部４３１、商品マスタＤＢ（共通の商品マスタ）４３２、会員情報部４３３、電子レシート情報部４３４が設けられている。制御プログラム部４３１は、電子レシート管理サーバ４において電子レシート情報等の制御を行うための制御プログラムを記憶している。
【００７２】
商品マスタＤＢ４３２は、メーカーサーバ８から送信されたソースマーキングの商品について、それぞれ商品情報を記憶する。商品マスタＤＢ４３２が記憶する商品情報は、商品コード、商品名、商品の価格、当該商品が属するカテゴリー、商品のアレルギー、カロリー、当該商品の画像等である。
【００７３】
商品マスタＤＢ４３２は、メーカーが作成した商品情報をそのまま記憶している。そのため、商品名はメーカーが作成した正式な商品名が記憶されている。商品が属する上位疑念のカテゴリーも、メーカーが作成したカテゴリーをそのまま記憶している。
【００７４】
ここで、図７を用いて、商品マスタＤＢ４３２を説明する。図７において、商品マスタＤＢ４３２は、商品コード部４３２１、商品名部４３２２カテゴリー部４３２４、属性情報部４３２５、画像情報部４３２６を備える。
【００７５】
商品コード部４３２１は、商品を特定する商品コードを記憶している。商品名部４３２２は、商品コードで特定される商品の商品名を、当該商品コードに対応して記憶している。価格部４３２３は、商品コードで特定される商品の価格を、当該商品コードに対応して記憶している。カテゴリー部４３２４は、商品コードで特定される商品が属する上位概念のカテゴリーを、当該商品コードに対応して記憶している。属性情報部４３２５は、商品コードで特定される商品の属性情報を、当該商品コードに対応して記憶している。属性情報とは、当該商品のアレルギー情報やカロリー情報等である。画像情報部４３２６は、商品コードで特定される商品を視覚的に表した画像（例えば当該商品の写真）を、当該商品コードに対応して記憶している。
【００７６】
図７の例では、商品コード「００１」に対応して、商品名「商品Ａ」、カテゴリー「カテゴリーＡ′」、属性情報「Ａ′」、当該商品の画像が記憶されている。商品コード「００２」に対応して、商品名「商品Ｂ」、カテゴリー「カテゴリーＢ」、属性情報「Ｂ」、当該商品の画像が記憶されている。商品コード「００３」の商品名・カテゴリー・属性情報・画像は記憶されていない。
【００７７】
次に、図８を用いて、電子レシート管理サーバ４の電子レシート情報部４３４が記憶している電子レシート情報４４の例について説明する。この電子レシート情報４４はＣＳＶ形式であり、電子レシート管理サーバ４が受信した電子レシート情報に商品マスタＤＢ４３２の商品情報を付加した情報である。
【００７８】
電子レシート情報４４は、会員ＩＤ（Identity）４４１、店舗ＩＤ４４２、レシートＮｏ４４３、日付４４４、決済情報４４５、商品情報４４６を有する。会員ＩＤ４４１は、会員となった消費者を特定する情報である。会員ＩＤ４４１は、電子レシートの受取先を特定する受取先特定情報である。すなわち、会員ＩＤ４４１が特定されれば、電子レシートの受取先が特定される。
【００７９】
店舗ＩＤ４４２は、電子レシート情報を生成した店舗を特定する店舗ＩＤである。レシートＮｏ４４３は、電子化されたレシート情報を特定するレシートＮｏである。日付４４４は、電子レシート情報が生成された日時である。決済情報４４５は、取引において決済処理された決済情報である。決済情報は、合計金額、受取金額、釣銭額、ポイント数等である。
【００８０】
商品情報４４６は、ＰＯＳ端末１から受信した電子レシート情報に含まれている商品情報である。商品情報４４６は、商品コード４４６１、商品名４４６２、価格４４６３、カテゴリー４４６４、識別フラグ４４６５、属性情報４４６６、画像情報４４６７を有する。
【００８１】
商品コード４４６１は、商品を特定する商品コードである。商品名４４６２は、商品名４４６２ａと商品名４４６２ｂの２種類を有する。商品名４４６２ａは、ＰＯＳ端末１から受信した電子レシート情報に含まれている、当該商品の商品名である。一方、商品名４４６２ｂは、商品マスタＤＢ４３２の商品名部４３２２から受信した当該商品の商品名である。
【００８２】
商品名４４６２ａは、各店舗Ｐ１あるいは各企業Ｃにおいて、それぞれ個別に構築された商品マスタ１７３に記憶された商品名である。そのため、同じ商品であっても、使用された商品マスタ１７３が異なると、電子レシート情報毎に含まれる商品名４４６２ａが異なっていることがある。一方、商品名４４６２ｂは、メーカーが作成し、商品マスタＤＢが記憶している商品名である。そのため、同じ商品には同じ商品名４４６２ｂが付される。
【００８３】
図８の例において、商品コード「００１」に対応した商品名４４６２ａは「商品Ａ」であり、商品コード「００１」に対応した商品名４４６２ｂは「商品Ａ′」である。これは、商品コード「００１」に対し、商品マスタ１７３と商品マスタＤＢ４３２には異なる商品名が記憶されていることを示す。また、商品コード「００２」に対応した商品名４４６２ａおよび商品名４４６２ｂはともに「商品Ｂ」である。これは、商品コード「００２」に対し、商品マスタ１７３と商品マスタＤＢ４３２には同一の商品名が記憶されていることを示す。また、商品コード「００３」に対応した商品名４４６２ａは「商品Ｃ」であり、商品コード「００３」に対応した商品名４４６２ｂは空欄である。これは、商品コード「００３」に対して、商品マスタ１７３から商品名「商品Ｃ」を受信したが、商品コード「００３」に対応した識別フラグが「２」であるため、商品マスタＤＢ４３２から商品名を受信していないことを示す。
【００８４】
価格４４６３は、ＰＯＳ端末１から受信した電子レシート情報に含まれる商品の価格である。カテゴリー４４６４は、商品マスタＤＢ４３２から受信したカテゴリーである。カテゴリー４４６４は、カテゴリー４４６４ａとカテゴリー４４６４ｂの２種類を有する。カテゴリー４４６４ａは、ＰＯＳ端末１から受信した電子レシート情報に含まれている、当該商品のカテゴリーである。一方、カテゴリー４４６４ｂは、商品マスタＤＢ４３２のカテゴリー部４３２４から受信した当該商品のカテゴリーである。
【００８５】
カテゴリー４４６４ａは、各店舗Ｐ１あるいは各企業Ｃにおいて、それぞれ個別に構築された商品マスタ１７３に記憶されたカテゴリーである。そのため、同じ商品であっても、使用された商品マスタ１７３が異なると、電子レシート情報毎に含まれるカテゴリー４４６４ａが異なっていることがある。一方、カテゴリー４４６４ｂは、メーカーが作成し、商品マスタＤＢが記憶しているカテゴリーである。そのため、同じ商品には同じカテゴリー４４６４ｂが付される。
【００８６】
図８の例において、商品コード「００１」に対応したカテゴリー４４６４ａは「カテゴリーＡ」であり、商品コード「００１」に対応したカテゴリー４４６４ｂは「カテゴリーＡ′」である。これは、商品コード「００１」に対し、商品マスタ１７３と商品マスタＤＢ４３２には異なるカテゴリーが記憶されていることを示す。また、商品コード「００２」に対応したカテゴリー４４６４ａおよびカテゴリー４４６４ｂはともに「カテゴリーＢ」である。これは、商品コード「００２」に対し、商品マスタ１７３と商品マスタＤＢ４３２には同一のカテゴリーが記憶されていることを示す。また、商品コード「００３」に対応したカテゴリー４４６４ａは「カテゴリーＣ」であり、商品コード「００３」に対応したカテゴリー４４６４ｂは空欄である。これは、商品コード「００３」に対して、商品マスタ１７３から「カテゴリーＣ」を受信したが、商品コード「００３」に対応した識別フラグが「２」であるため、商品マスタＤＢ４３２からカテゴリーを受信していないことを示す。
【００８７】
識別フラグ４４６５は、ＰＯＳ端末１から受信した電子レシート情報に含まれる識別フラグ１９６５をそのまま記憶する。属性情報４４６６は、商品マスタＤＢ４３２から受信した属性情報である。属性情報４４６６は、属性情報４４６６ａと属性情報４４６６ｂの２種類を有する。属性情報４４６６ａは、ＰＯＳ端末１から受信した電子レシート情報に含まれている、当該商品のカテゴリーである。一方、属性情報４４６６ｂは、商品マスタＤＢ４３２の属性情報部４３２５から受信した当該商品の属性情報である。
【００８８】
属性情報４４６６ａは、各店舗Ｐ１あるいは各企業Ｃにおいて、それぞれ個別に構築された商品マスタ１７３に記憶された属性情報４である。そのため、同じ商品であっても、使用された商品マスタ１７３が異なると、電子レシート情報毎に含まれる属性情報４４６６ａが異なっていることがある。一方、属性情報４４６６ｂは、メーカーが作成し、商品マスタＤＢが記憶している属性情報である。そのため、同じ商品には同じ属性情報４４６６ｂが付される。
【００８９】
図８の例において、商品コード「００１」に対応した属性情報４４６６ａは「属性情報Ａ」であり、商品コード「００１」に対応した属性情報４４６６ｂは「属性情報Ａ′」である。これは、商品コード「００１」に対し、商品マスタ１７３と商品マスタＤＢ４３２には異なる属性情報が記憶されていることを示す。また、商品コード「００２」に対応した属性情報４４６６ａおよび属性情報４４６６ｂはともに「属性情報Ｂ」である。これは、商品コード「００２」に対し、商品マスタ１７３と商品マスタＤＢ４３２には同一の属性情報が記憶されていることを示す。また、商品コード「００３」に対応した属性情報４４６６ａは「属性情報Ｃ」であり、商品コード「００３」に対応した属性情報４４６６ｂは空欄である。これは、商品コード「００３」に対して、商品マスタ１７３から「属性情報Ｃ」を受信したが、商品コード「００３」に対応した識別フラグが「２」であるため、商品マスタＤＢ４３２から属性情報を受信していないことを示す。
【００９０】
また、画像情報４４６７は、商品マスタＤＢ４３２から受信した画像情報である。商品コード「００１」と商品コード「００２」の商品については、商品マスタＤＢ４３２から画像情報を受信している。一方、商品コード「００３」の商品については、商品コード「００３」に対応した識別フラグが「２」であるため、商品マスタＤＢ４３２から画像情報を受信していない。
【００９１】
次に、図９を用いて、電子レシート管理サーバ４が携帯端末７に出力する電子レシート４５の構造について説明する。電子レシート４５は、携帯端末７に表示される電子レシート４５ａとその他の情報からなる。携帯端末７に表示される電子レシート４５ａは、会員ＩＤ４５１、商品情報４５８のうちの商品名４５２と価格４５３、決済情報４５９、店舗ＩＤ４６０、レシートＮｏ４６１、日付４６２の各情報を、例えばＨＴＭＬ（Hyper  Text  Markup  Language）形式に変換した情報である。ＨＴＭＬ形式に変換した携帯端末７に表示される電子レシートは、携帯端末７で表示可能である（図１６を参照）。
【００９２】
会員ＩＤ４５１は、会員ＩＤ４４１の会員ＩＤである。決済情報４５９は、決済情報４４５と同じ情報である。店舗ＩＤ４６０は、電子レシート情報を生成した店舗を特定する店舗ＩＤである。レシートＮｏ４６１は、電子化されたレシート情報を特定するレシートＮｏである。日付４６２は、電子レシート情報が生成された日時である。
【００９３】
商品情報４５８は、商品名４５２、価格４５３、商品名４５４、カテゴリー４５５、属性情報４５６、画像情報４５７を有する。商品名４５２は、商品名４４６２ａの商品名である。価格４５３は、価格４４６３の価格である。商品名４５４は、商品名４４６２ｂの商品名である。カテゴリー４５５は、カテゴリー４４６４のカテゴリーである。属性情報４５６は、属性情報４４６６の属性情報である。画像情報４５７は、画像情報４４６７の画像情報である。
【００９４】
また、その他の電子レシートである、商品名４５４、カテゴリー４５５、属性情報４５６、画像情報４５７の各情報は、ＣＳＶ形式のままの情報であり、携帯端末７に表示される電子レシートとして携帯端末７に表示されない情報である。なお、画像情報４５７は、表示されている商品名４５２をタップすることで、電子レシートに重ねてポップアップ表示される。
【００９５】
なお、図９において、カテゴリー４５５は、カテゴリー４４６４ｂが記憶されている場合はカテゴリー４４６４ｂであり、カテゴリー４４６４ｂが記憶されていない場合はカテゴリー４４６４ａである。また、属性情報４５６は、属性情報４４６６ｂが記憶されている場合は属性情報４４６６ｂであり、属性情報４４６６ｂが記憶されていない場合は属性情報４４６６ａである。
【００９６】
次に、図１０のブロック図を用いて、携帯端末７のハードウェア構成を説明する。図１０において、携帯端末７は、各種演算や携帯端末７の各部を統括的に制御する制御部７１を備えている。制御部７１は、ＣＰＵ、ＲＯＭ、ＲＡＭ、ＲＴＣ部等によって構成されるコンピュータである。ＲＯＭは、各種プログラムやデータを記憶する。ＲＡＭは、各種プログラムを一時的に記憶し、また各種データを書き換え自在に記憶する。ＲＴＣ部は、現在の日時を計時する。
【００９７】
制御部７１は、バス７６を介して操作部７２および表示部７３に接続されている。操作部７２は、操作者（会員）が操作入力を行うための各種の操作キーや、ポインティングデバイスを有している。表示部７３は、例えば液晶ディスプレイ等であり、後述する電子レシート等の各種情報を表示する。なお、表示部７３をタッチパネル構成としてもよく、この場合、タッチパネルは操作部７２として機能する。
【００９８】
また、制御部７１は、バス７６を介して通信Ｉ／Ｆ７４に接続されており、この通信Ｉ／Ｆ７４を介してネットワークＮ４に接続することが可能となっている。
【００９９】
また、制御部７１は、バス７６を介して、記憶部７５に接続されている。記憶部７５は、Ｗｅｂ上に公開されている各種情報（コンテンツ）を閲覧するためのＷｅｂブラウザの他、電子レシート管理サーバ４から電子レシートを受け取るための制御プログラムを記憶する制御プログラム部７５１および家計簿プログラムを記憶する家計簿プログラム部７５２を備えている。家計簿プログラムは、例えば市販のアプリケーションソフトであり、電子レシート管理サーバ４から出力された電子レシートに基づいて、家計簿を作成する機能を有する。
【０１００】
次に、図１１〜図１７を用いて、実施形態における電子レシートシステムの制御処理について説明する。まず、ＰＯＳ端末１の制御部１１が、制御プログラムまたは電子レシート生成プログラムに従って実行する制御処理の流れを、図１１のフローチャートを用いて説明する。
【０１０１】
図１１において、制御部１１は、コード読取部１５が読み取った会員ＩＤが入力されたか否かを判断する（Ｓ１１）。入力されたと判断した場合は（Ｓ１１のＹｅｓ）、制御部１１は、当該会員ＩＤをＲＡＭ１１ａに記憶する（Ｓ１２）。
【０１０２】
一方、会員ＩＤは入力されていないと判断した場合は（Ｓ１１のＮｏ）、制御部１１は、コード読取部１５が読み取った商品コードが入力されたか否かを判断する（Ｓ２１）。商品コードが入力されたと判断した場合は（Ｓ２１のＹｅｓ）、制御部１１は、入力された商品コードに基づいて、商品マスタ１７３に商品情報を問合せる。そして制御部１１は、商品マスタ１７３から、当該商品コードに対応した商品情報を読み出す（Ｓ２２）。そして制御部１１は、読み出した商品情報をＲＡＭ１１ａに記憶して商品販売処理を実行する（Ｓ２３）。
【０１０３】
また、商品コードが入力されていないと判断した場合は（Ｓ２１のＮｏ）、制御部１１は、締めキー１２１が操作されたか否かを判断する（Ｓ３１）。操作されたと判断した場合は（Ｓ３１のＹｅｓ）、制御部１１は、決済処理を実行する（Ｓ３２）。そして制御部１１は、Ｓ２３でＲＡＭ１１ａに記憶した商品情報や決済処理した決済情報等に基づいて非構造形式のレシート情報を生成する（Ｓ３３）。
【０１０４】
次に制御部１１は、Ｓ３３で生成したレシート情報について、電子化するか否かを判断する（Ｓ３４）。制御部１１は、Ｓ１２の処理に基づいてＲＡＭ１１ａに会員ＩＤが記憶されている場合に、レシート情報を電子化すると判断する。レシート情報を電子化すると判断した場合（Ｓ３４のＹｅｓ）、制御部１１は、レシート情報に基づいて図４に示す電子レシート情報を生成する（Ｓ３５）。生成された電子レシート情報は会員ＩＤを含む。次に制御部１１は、生成した電子レシート情報を電子レシートサーバ３に送信する（Ｓ３６）。次に制御部１１は、Ｓ１２およびＳ２３で記憶した会員ＩＤと商品情報をクリアする（Ｓ３７）。そして制御部１１は、処理を終了する。
【０１０５】
また、レシート情報を電子化しないと判断した場合は（Ｓ３４のＮｏ）、制御部１１は、印字部１３を駆動してレシート情報を印字した紙レシートを発行する（Ｓ３８）。そして制御部１１は、Ｓ３７を実行する。なお、締めキー１２１が操作されていないと判断した場合は（Ｓ３１のＮｏ）、制御部１１は、Ｓ１１に戻って待機する。
【０１０６】
次に、電子レシートサーバ３の制御部３１が、制御プログラム部３３２に記憶された制御プログラムに従って動作することにより実行される制御処理の流れを、図１２に示すフローチャートに基づいて説明する。
【０１０７】
電子レシートサーバ３の制御部３１は、ＰＯＳ端末１からＳ３６で送信された電子レシート情報を通信Ｉ／Ｆ３２を介して受信したか否かを判断する（Ｓ４１）。受信したと判断した場合（Ｓ４１のＹｅｓ）、制御部３１は、記憶部３３の電子レシート管理部３３１に企業毎の電子レシート情報として記憶する（Ｓ４２）。そして、制御部３１は、記憶した電子レシート情報を電子レシート管理サーバ４に送信する（Ｓ４３）。そして制御部３１は、Ｓ４１に戻って待機する。また、電子レシート情報を受信していないと判断した場合は（Ｓ４１のＮｏ）、制御部３１は、Ｓ４１に戻って待機する。
【０１０８】
次に、電子レシート管理サーバ４の制御部４１が、制御プログラム部４３１に記憶された制御プログラムに従って実行する制御処理を、図１３の機能ブロック図および図１４のフローチャートを用いて説明する。
【０１０９】
図１３は、電子レシート管理サーバ４の制御部４１が実行する機能を示す機能ブロック図である。図１３において、制御部４１は、制御プログラム部４３１に記憶された制御プログラムを実行することにより、受信手段４１１、電子レシート生成手段４１２、出力手段４１３、判断手段４１４、更新手段４１５として機能する。
【０１１０】
受信手段４１１は、個別に構築された商品マスタ１７３に記憶された、商品を特定する商品コードに対応付けられた個別の商品情報に基づいて生成された電子レシート情報をそれぞれ受信する機能を有する。
【０１１１】
電子レシート生成手段４１２は、受信した電子レシート情報に、商品マスタＤＢ４３２に記憶された、商品コードに対応付けられた共通の商品情報を付加して電子レシートを生成する機能を有する。
【０１１２】
出力手段４１３は、生成した電子レシートを、生成した電子レシートを受け取る受取先に対して出力する機能を有する。
【０１１３】
更新手段４１５は、外部から入力した共通の商品情報に基づいて、商品マスタＤＢ４３２に記憶された共通の商品情報を更新する機能を有する。
【０１１４】
図１４は、電子レシート管理サーバ４の制御処理の流れを示すフローチャートである。図１４において、制御部４１（受信手段４１１）は、電子レシートサーバ３から電子レシート情報を受信したか否かを判断する（Ｓ５１）。受信したと判断した場合は（Ｓ５１のＹｅｓ）、制御部４１は、受信した電子レシート情報を電子レシート情報部４３４に会員ＩＤ毎に会員ＩＤに対応させて記憶する（Ｓ５２）。
【０１１５】
次に制御部４１は、受信した電子レシート情報１９の識別フラグ１９６５に基づいて、電子レシート情報１９にソースマーキングの商品情報が含まれているか否かを判断する（Ｓ５３）。含まれていると判断した場合は（Ｓ５３のＹｅｓ）、制御部４１は、含まれていると判断した商品の商品コードに基づいて、商品マスタＤＢ４３２を検索する。そして制御部４１は、商品マスタＤＢ４３２から、当該商品コードに対応した商品情報を読み出す（Ｓ５４）。そして制御部４１は、読み出した商品情報を電子レシート情報部４３４に記憶した電子レシート情報に付加する（Ｓ５５）。付加した電子レシート情報が図８に示す電子レシート情報である。
【０１１６】
すなわち制御部４１は、商品名部４３２２から読み出した商品名を、商品名４４６２ｂとして、各商品コードに対応して記憶する。また、制御部４１は、カテゴリー部４３２４から読み出したカテゴリーを、カテゴリー４４６４として記憶する。また制御部４１は、属性情報部４３２５から読み出した属性情報を、属性情報４４６６として記憶する。また制御部４１は、画像情報部４３２６から読み出した画像情報を、画像情報４４６７として記憶する。なお、受信した電子レシート情報１９の商品名１９６２は、商品名４４６２ａとして記憶している。次に制御部４１は、携帯端末７に対し、電子レシート情報を受信していることを示す情報を通知する（Ｓ５６）。そして制御部４１は、処理を終了する。
【０１１７】
また、電子レシート情報を受信していないと判断した場合は（Ｓ５１のＮｏ）、制御部４１は、携帯端末７から、電子レシートの閲覧照会情報を受信したか否かを判断する（Ｓ６１）。受信したと判断した場合は（Ｓ６１のＹｅｓ）、制御部４１（電子レシート生成手段４１２）は、同時に受信した会員ＩＤに基づいて該当する電子レシート情報を電子レシート情報部４３４から抽出し、電子レシートを生成する（Ｓ６２）。そして制御部４１（出力手段４１３）は、生成した電子レシートを携帯端末７に出力する（Ｓ６３）。携帯端末７の操作者は、携帯端末７に表示される電子レシートを閲覧できる。そして制御部４１は、処理を終了する。
【０１１８】
また、閲覧照会情報を受信していないと判断した場合は（Ｓ６１のＮｏ）、制御部４１は、メーカーサーバ８から新たな商品情報または商品情報の変更情報を受信したか否かを判断する（Ｓ７１）。受信したと判断した場合は（Ｓ７１のＹｅｓ）、制御部４１（更新手段４１４）は、受信した情報に基づいて商品マスタＤＢ４３２を更新する（Ｓ７２）。そして制御部４１は、処理を終了する。受信していないと判断した場合は（Ｓ７１のＮｏ）、制御部４１は、Ｓ５１に戻って待機する。
【０１１９】
次に、携帯端末７の制御部７１が、制御プログラム部７５１に記憶された制御プログラムおよび家計簿プログラム部７５２に記憶された家計簿プログラムに従って実行する制御処理を、図１５のフローチャートを用いて説明する。図１５において、制御部７１は、電子レシートを閲覧するためにログインされたか否かを判断する（Ｓ９１）。制御部７１は、ログインされるまで待機する（Ｓ９１のＮｏ）。ログインされたと判断した場合は（Ｓ９１のＹｅｓ）、制御部７１は、電子レシート管理サーバ４から、電子レシート情報を受信したことを示す通知を受信したか否かを判断する（Ｓ９２）。受信したと判断した場合は（Ｓ９２のＹｅｓ）、制御部７１は、受信したことを示す通知を表示部７３に表示する（Ｓ９３）。この通知は、例えば「お客様の電子レシートをお預かりしています」等のメッセージである。そして制御部７１は、処理を終了する。
【０１２０】
電子レシート情報受信の通知を受信していないと判断した場合は（Ｓ９２のＮｏ）、制御部７１は、電子レシートの閲覧照会が操作されたか否かを判断する（Ｓ９４）。操作されたと判断した場合は（Ｓ９４のＹｅｓ）、制御部７１は、電子レシートの閲覧を要求する照会情報を電子レシート管理サーバ４に送信する（Ｓ９５）。そして制御部７１は、処理を終了する。照会情報を受信した電子レシート管理サーバ４は、図１４のＳ６１〜Ｓ６３の処理を実行して電子レシートを携帯端末７に出力する。
【０１２１】
一方、電子レシート情報の閲覧照会の操作ではないと判断した場合は（Ｓ９４のＮｏ）、制御部７１は、電子レシート管理サーバ４から、電子レシートを受信したか否かを判断する（Ｓ９６）。電子レシートを受信したと判断した場合は（Ｓ９６のＹｅｓ）、制御部７１は、受信した電子レシートのうち携帯端末７に表示される電子レシートを表示部７３に表示する（Ｓ９７）。
【０１２２】
図１６に、Ｓ９７で表示部７３に表示した携帯端末７に表示される電子レシートの例を示す。図１６において、表示部７３は、商品名と商品の価格から成る商品情報７３２、合計金額や預り金や釣銭等の決済情報７３３を表示する。また表示部７３は、会員ＩＤと店舗ＩＤとレシートＮｏと日付を表示する。ここで、表示部７３に表示した電子レシートにおいて表示される商品名は、商品名４５２である。
【０１２３】
一方、表示部７３には、商品名４５４、カテゴリー４５５、属性情報４５６、画像情報４５７は、表示部７３には表示されない。
【０１２４】
図１５の説明に戻る。次に制御部７１は、Ｓ９７で表示した電子レシートにおいて、表示された商品名がタップされたか否かを判断する（Ｓ９８）。タップされたと判断した場合は（Ｓ９８のＹｅｓ）、制御部７１は、画像情報４５７が記憶されているか否かを判断する（Ｓ９９）。記憶されていると判断した場合は（Ｓ９９のＹｅｓ）、制御部７１は、当該画像を、表示部７３に表示されている電子レシート上にポップアップ表示する（Ｓ１００）。一方、画像情報が記憶されていないと判断した場合は（Ｓ９９のＮｏ）、制御部７１は、Ｓ９４に戻って待機する。
【０１２５】
また、商品名がタップされていないと判断した場合は（Ｓ９８のＮｏ）、制御部７１は、家計簿を作成する家計簿プログラムが起動したか否かを判断する（Ｓ１１１）。起動したと判断した場合は（Ｓ１１１のＹｅｓ）、制御部７１は、表示部７３に、電子レシートに基づく家計簿を示す表示を行う（Ｓ１１２）。なお、電子レシートを受信していないと判断した場合（Ｓ９６のＮｏ）、および家計簿プログラムが起動していないと判断した場合は（Ｓ１１１のＮｏ）、制御部７１は、Ｓ９４に戻る。
【０１２６】
図１７に、Ｓ１１２で表示部７３に表示した家計簿の例を示す。本例は、例えば１か月単位の収支を集計した家計簿である。図１７において、制御部７１は、表示部７３に、家計簿であることを示す表示７４１、購入した商品の商品情報リスト７４２、月単位の収支７４７を表示する。商品情報リスト７４２は、カテゴリー７４３毎に、属する商品情報７４４を整理して表示される。商品情報７４４は、今回購入した商品の商品情報を一番下に表示し、合わせて、アレルギー情報やカロリー等の属性情報７４５を表示する。
【０１２７】
なお、カテゴリーは、電子レシート４５のカテゴリー４５５の情報を表示する。商品名７４６は、電子レシート４５の商品名４５４の情報を表示する。属性情報７４５は、電子レシート４５の属性情報４５６を表示する。価格７４８は、電子レシート４５の価格４５３を表示する。なお、家計簿情報として、画像情報４５７を各商品の商品名に並べて表示するようにしてもよい。
【０１２８】
このような実施形態によれば、ＰＯＳ端末１が、複数の店舗Ｐ１や企業Ｃで、それぞれ電子レシート情報を作成しても、電子レシート管理サーバ４は、唯一の商品マスタＤＢ４３２に記憶された商品情報に置き換えて電子レシートを生成する。そのため、同じ商品には同一の商品情報が付される。したがって、複数の電子レシートに含まれる同じ商品について同一の商品情報で管理することが可能となる。
【０１２９】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更、組み合わせを行うことができる。この実施形態やその変形は、発明の範囲や要旨に含まれるとともに、特許請求の範囲に記載された発明とその均等の範囲に含まれる。
【０１３０】
例えば、実施形態では、ＰＯＳ端末１から受信した電子レシート情報に含まれる商品情報を、商品コード、商品名、価格、当該商品が属するカテゴリー、識別フラグ、属性情報として説明したが、商品コード、商品名、価格が含まれていればよい。
【０１３１】
また、実施形態では、商品名、カテゴリー、属性情報を置き換えたが、少なくとも商品名とカテゴリーのいずれか一方を置き換えるようにすればよい。
【０１３２】
また、実施形態では、商品マスタＤＢ４３２に記憶した商品情報を、メーカーに設置されたメーカーサーバ８から受信したが、各メーカーから商品情報を送信を委託された第三者機関のサーバから受信するようにしてもよい。
【０１３３】
また、実施形態では、商品を販売対象の例として説明した。販売対象は、商品等の物以外にサービス等であってもよい。
【０１３４】
なお、実施形態の電子レシート管理サーバ４で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【０１３５】
また、実施形態の電子レシート管理サーバ４で実行されるプログラムを、インターネット等のネットワークに接続されたコンピュータ上に格納し、ネットワーク経由でダウンロードさせることにより提供するように構成しても良い。また、実施形態の電子レシート管理サーバ４で実行されるプログラムをインターネット等のネットワーク経由で提供または配布するように構成しても良い。
【０１３６】
また、実施形態の電子レシート管理サーバ４で実行されるプログラムを、ＲＯＭ等に予め組み込んで提供するように構成してもよい。
【符号の説明】
【０１３７】
１  ＰＯＳ端末
２  ストアサーバ
３  電子レシートサーバ
４  電子レシート管理サーバ
７  携帯端末
８  メーカーサーバ
１１  制御部
１９  電子レシート情報
３１  制御部
４１  制御部
４５ａ  電子レシート
７１  制御部
１７３  商品マスタ
４１１  受信手段
４１２  電子レシート生成手段
４１３  出力手段
４１４  判断手段
４３２  商品マスタＤＢ
【先行技術文献】
【特許文献】
【０１３８】
【特許文献１】特開２００７−３１６７５０号公報
【図１】
2020184382.tif 000003
【図２】
2020184382.tif 000004
【図３】
2020184382.tif 000005
【図４】
2020184382.tif 000006
【図５】
2020184382.tif 000007
【図６】
2020184382.tif 000008
【図７】
2020184382.tif 000009
【図８】
2020184382.tif 000010
【図９】
2020184382.tif 000011
【図１０】
2020184382.tif 000012
【図１１】
2020184382.tif 000013
【図１２】
2020184382.tif 000014
【図１３】
2020184382.tif 000015
【図１４】
2020184382.tif 000016
【図１５】
2020184382.tif 000017
【図１６】
2020184382.tif 000018
【図１７】
2020184382.tif 000019
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
商品販売データ処理装置および情報処理装置を備えた電子レシートシステムであって、
前記商品販売データ処理装置は、
個別に構築された販売対象マスタに記憶された、販売対象を特定する販売対象特定情報に対応付けられた個別の販売対象情報に基づいて電子レシート情報を生成する電子レシート情報生成手段と、
生成された前記電子レシート情報を前記情報処理装置に送信する送信手段と、
を備え、
前記情報処理装置は、
前記送信手段が送信した前記電子レシート情報を受信する受信手段と、
前記受信手段が受信した前記個別の販売対象情報にソースマーキングを示す販売対象情報が含まれている場合には、前記受信した電子レシート情報に、共通の販売対象マスタに記憶された、前記販売対象特定情報と同一の販売対象特定情報に対応付けられた共通の販売対象情報を付加して電子レシートを生成する電子レシート生成手段と、
前記生成した電子レシートを、前記生成した電子レシートを受け取る受取先に対して出力する出力手段と、
を備えた電子レシートシステム。
【請求項２】
前記出力手段は、前記受信手段が受信した前記個別の販売対象情報にソースマーキングを示す販売対象情報が含まれていない場合には、前記受信手段が受信した前記電子レシート情報に基づいて生成された電子レシートを前記受取先に出力する、
請求項１に記載の電子レシートシステム。
【請求項３】
前記情報処理装置は、外部から入力した前記共通の販売対象情報に基づいて、前記共通の販売対象マスタに記憶された前記共通の販売対象情報を更新する更新手段、をさらに備えた、
請求項１または２に記載の電子レシートシステム。
【請求項４】
商品販売データ処理装置および情報処理装置を備えた電子レシートシステムにおける電子レシート処理方法であって、
前記商品販売データ処理装置は、
個別に構築された販売対象マスタに記憶された、販売対象を特定する販売対象特定情報に対応付けられた個別の販売対象情報に基づいて電子レシート情報を生成する第１工程と、
第１工程が生成した前記電子レシート情報を前記情報処理装置に送信する第２工程と、
を備え、
前記情報処理装置は、
前記第２工程が送信した前記電子レシート情報を受信する第３工程と、
前記第３工程が受信した前記個別の販売対象情報にソースマーキングを示す販売対象情報が含まれている場合には、前記受信した電子レシート情報に、共通の販売対象マスタに記憶された、前記販売対象特定情報と同一の販売対象特定情報に対応付けられた共通の販売対象情報を付加して電子レシートを生成する第４工程と、
前記第４工程が生成した電子レシートを、前記生成した電子レシートを受け取る受取先に対して出力する第５工程と、
を含む電子レシートシステムにおける電子レシート処理方法。 
【手続補正３】
【補正対象書類名】明細書
【補正対象項目名】０００１
【補正方法】変更
【補正の内容】
【０００１】
本発明の実施形態は、電子レシートシステムおよび電子レシートシステムにおける電子レシート処理方法に関する。 
【手続補正４】
【補正対象書類名】明細書
【補正対象項目名】０００６
【補正方法】変更
【補正の内容】
【０００６】
本発明が解決しようとする課題は、複数の電子レシートに含まれる同じ販売対象について同一の販売対象情報で管理することが可能な電子レシートシステムおよび電子レシートシステムにおける電子レシート処理方法を提供することである。
【手続補正５】
【補正対象書類名】明細書
【補正対象項目名】０００７
【補正方法】変更
【補正の内容】
【０００７】
実施形態の電子レシートシステムは、商品販売データ処理装置および情報処理装置を備えた電子レシートシステムであって、前記商品販売データ処理装置は、個別に構築された販売対象マスタに記憶された、販売対象を特定する販売対象特定情報に対応付けられた個別の販売対象情報に基づいて電子レシート情報を生成する電子レシート情報生成手段と、生成された前記電子レシート情報を前記情報処理装置に送信する送信手段と、を備え、前記情報処理装置は、前記送信手段が送信した前記電子レシート情報を受信する受信手段と、前記受信手段が受信した前記個別の販売対象情報にソースマーキングを示す販売対象情報が含まれている場合には、前記受信した電子レシート情報に、共通の販売対象マスタに記憶された、前記販売対象特定情報と同一の販売対象特定情報に対応付けられた共通の販売対象情報を付加して電子レシートを生成する電子レシート生成手段と、前記生成した電子レシートを、前記生成した電子レシートを受け取る受取先に対して出力する出力手段と、を備える。
【手続補正６】
【補正対象書類名】明細書
【補正対象項目名】０００８
【補正方法】変更
【補正の内容】
【０００８】
実施形態の電子レシートシステムにおける電子レシート処理方法は、商品販売データ処理装置および情報処理装置を備えた電子レシートシステムにおける電子レシート処理方法であって、前記商品販売データ処理装置は、個別に構築された販売対象マスタに記憶された、販売対象を特定する販売対象特定情報に対応付けられた個別の販売対象情報に基づいて電子レシート情報を生成する第１工程と、第１工程が生成した前記電子レシート情報を前記情報処理装置に送信する第２工程と、を備え、前記情報処理装置は、前記第２工程が送信した前記電子レシート情報を受信する第３工程と、前記第３工程が受信した前記個別の販売対象情報にソースマーキングを示す販売対象情報が含まれている場合には、前記受信した電子レシート情報に、共通の販売対象マスタに記憶された、前記販売対象特定情報と同一の販売対象特定情報に対応付けられた共通の販売対象情報を付加して電子レシートを生成する第４工程と、前記第４工程が生成した電子レシートを、前記生成した電子レシートを受け取る受取先に対して出力する第５工程と、を含む。